(57)【特許請求の範囲】
【請求項１】
基部と、
該基部の少なくとも一端に回転可能に取付けられた開閉板と、
開閉板を閉じ位置に保持する保持手段と、
前記基部に設けられ、前記開閉板の閉じ位置から開き方向へ回転する動作において、前記開閉板の一部に当接することにより前記回転動作を前記開閉板が前記基部と接する装着体に触れる前に所定位置で停止させる停止手段と
よりなることを特徴とする帯状装身具の中留。
【請求項２】
停止手段は開閉板枢着部の内側において基部に固定された細長い部材であることを特徴とする請求の範囲第１項記載の帯状装身具の中留。
【請求項３】
停止手段は開閉板枢着部の外側において基部に固定された細長い部材であることを特徴とする請求の範囲第１項記載の帯状装身具の中留。
【請求項４】
開閉板が前記閉じ位置にあるとき、停止手段に当接すべき開閉板の一部が基部からその長手方向に突出しないようにしたことを特徴とする請求の範囲第１項記載の帯状装身具の中留。
【請求項５】
開閉板は開閉板枢着部の外方へ突出する延長部を有し、該延長部の先端部より両側横方向に突出する停止突起が形成され、該停止突起の一部が基部の下面である停止手段に当接するように構成されたものであることを特徴とする請求の範囲第１項記載の帯状装身具の中留。
【請求項６】
保持手段がプッシュボタン式錠止装置であることを特徴とする請求の範囲第１項記載の帯状装身具の中留。
【請求項７】
保持手段が開閉板に取付けられたスプリング付勢のボールと、基部に形成されそのボールが係合する孔であることを特徴とする請求の範囲第１項記載の帯状装身具の中留。
【請求項８】
基部の下部に下方に突出して腕に当たる突条が停止手段として形成され、前記突条によって開閉板に設けた停止用突起を腕より離すようにしたことを特徴とする請求の範囲第１項記載の帯状装身具の中留。
【請求項９】
基部と開閉板を板金で形成したことを特徴とする請求の範囲第１項記載の帯状装身具の中留。
【請求項１０】
開閉板を押し上げるバネを設けたことを特徴とする請求の範囲第１項記載の帯状装身具の中留。
【請求項１１】
開閉板枢着部の外側に延長して形成された突起が停止部材に当接するように構成されたことを特徴とする請求の範囲第２項記載の帯状装身具の中留。
【請求項１２】
停止部材の一部が開閉板に形成された溝に挿入されるように構成したことを特徴とする請求の範囲第１項記載の帯状装身具の中留。
【請求項１３】
開閉板が基部に形成された一対の円筒部によって両端を保持されたピンの回りに回転可能に取付けられ、停止手段が円筒部の間に形成された凹部であることを特徴とする請求の範囲第１項記載の帯状装身具の中留。
【請求項１４】
突起が回動中基部から突出しないようにしたことを特徴とする請求の範囲第１１項記載の帯状装身具の中留。
【請求項１５】
基部と、該基部の両端に回転可能に取付けられ、閉じた状態から左右に開かれるように構成された開閉板と、開閉板を閉じ位置に保持する保持手段とを有する中留において、開閉板の閉じ位置から開き方向へ回転する動作を停止させる停止手段を設け、基部両端における開閉板の連結点を通る基準線に対して、停止位置における開閉板が成す角度が、仰角で約６５度、俯角で約８５度以内であることを特徴とする帯状装身具の中留。
【請求項１６】
仰角が約１０度、俯角が約３０度であることを特徴とする請求の範囲第１５項記載の帯状装身具の中留。
【請求項１７】
基部を手首の上部に乗せたとき、停止位置における開閉板の角度が、開閉板および開閉板に連なる帯状装身具と手首との間に装着者の指が入り得る大きさであることを特徴とする請求の範囲第１５項記載の帯状装身具の中留。
【請求項１８】
基部を手首の上部に乗せたとき、開閉板の停止位置において、両開閉板の先端に取付けられた帯状装身具と中留とが成す輪が、手首を容易に挿入できる大きさであることを特徴とする請求の範囲第１５項記載の帯状装身具の中留。
【請求項１９】
基部と、該基部の両端に回転可能に取付けられ、閉じた状態から左右に開かれるように構成された開閉板と、開閉板を閉じ位置に保持する保持手段とを有する中留であって、開閉板の閉じ位置から開き方向へ回転する動作を、基部を手首の上部に乗せたとき、開閉板の開いた端部が手首に触れない位置で停止させる停止手段を設け、基部を上側にしたとき、開閉板の停止位置において、両開閉板の先端に取付けられた帯状装身具と中留とが成す輪の内周が、手首の外周より僅かに大きいことを特徴とする帯状装身具の中留。
【請求項２０】
開閉板の停止位置において、基部を上側にしたとき、装身具と中留とが成す輪が、手首を容易に挿入できる大きさであることを特徴とする請求の範囲第１９項記載の帯状装身具の中留。
【請求項２１】
基部を手首の上部に乗せたとき、開閉板の停止位置において、装身具の成す輪の下垂した下側が手首に触れない大きさであることを特徴とする請求の範囲第１９項記載の帯状装身具の中留。
【請求項２２】
開閉板の停止位置において、基部を手首の上部に乗せたとき、開閉板および開閉板に連なる帯状装身具と手首との間に装着者の指が入り得る隙間が形成されることを特徴とする請求の範囲第１項記載の帯状装身具の中留。
【請求項２３】
基部と、該基部の両端に回転可能に取付けられ、閉じた状態から左右に開かれるように構成された開閉板と、前記基部に設けられ、前記開閉板の閉じ位置から開き方向へ回転する動作において、前記開閉板の一部に当接することにより前記回転動作を前記開閉板が前記基部と接する装着体に触れる前に所定位置で停止させる停止手段を設けたことを特徴とする中留を有するバンドを取付けてなる腕時計。
【発明の詳細な説明】
【発明の属する技術分野】
【０００１】
本発明は、腕時計、ネックレス、ブレスレット等の帯状装身具に用いられる中留、特に中留における開閉板の回転を適当な位置で止める為の装置に関するものである。
【従来技術】
【０００２】
図２８は腕時計に用いられる両開き中留を示す斜視図である。
この中留は、基部１とその両端にピン２で回転可能に連結された一対の開閉板３とよりなる。
【０００３】
基部１は、両側一対の枠部材４と両端のピン２と中間の二本の開閉板固定ピン５よりなる枠体で、腕の曲面に沿うように湾曲している。各開閉板３は、枠部材４の間に係合するように構成され、内側に二個の溝６、７が形成されている。
そして開閉板３を閉じた時、外側の溝６がピン５に係合し、両溝間の隔壁８が撓んでピン５に圧接するようになっている。之により、開閉板が開かないように保持される。
このような中留は、図２０に示すように、帯状装身具の一例である、時計本体１３とバンド１０とより成る腕時計に取り付けられる。各開閉板３の外端部には時計バンド１０の端部の駒１１が夫々ピン１２に上り回動自在に連結されている。
【発明が解決しようとする課題】
【０００４】
図２９は、上記の中留を有する時計本体１３を手首１４に装着した時の状態を示す図である。
手首１４の内側に中留の基板１が置かれ、中留の開閉板３は、時計本体１３の重量により開き、手首に接した状態となる。この状態から開閉板３を右手の指でつまんで持ち上げ、回動させ、枠部材４に固定させなければならない。
しかし、開閉板３が腕に接しているので、開閉板がつまみにくい。また、開閉板３を回動させる角度が大きい。
その為、開閉板３を閉じる操作が困難で、特に時計本体１３やバンド１０が重ければ、さらに難しくなる。
【０００５】
従って、本発明の目的は、帯状装身具を容易に装着することのできるようにした開閉板の回転停止装置を提供するにある。
【課題を解決するための手段】
【０００６】
請求の範囲第１項に係る発明は、基部と、該基部の少なくとも一端に回転可能に取付けられた開閉板と、開閉板を閉じ位置に保持する保持手段と、前記基部に設けられ、前記開閉板の閉じ位置から開き方向へ回転する動作において、前記開閉板の一部に当接することにより前記回転動作を前記開閉板が前記基部と接する装着体に触れる前に所定位置で停止させる停止手段とよりなることを特徴とする帯状装身具の中留である。
【０００７】
請求の範囲第１５項に係る発明は、基部と、該基部の両端に回転可能に取付けられ、閉じた状態から左右に開かれるように構成された開閉板と、開閉板を閉じ位置に保持する保持手段とを有する中留において、開閉板の閉じ位置から開き方向へ回転する動作を所定の停止位置で停止させる停止手段を設け、基部両端における開閉板の連結点を通る基準線に対して、停止位置における開閉板が成す角度が、仰角で約６５度、俯角で約８５度以内であることを特徴とする帯状装身具の中留である。
【０００８】
請求の範囲第１９項に係る発明は、基部と、該基部の両端に回転可能に取付けられ、閉じた状態から左右に開かれるように構成された開閉板と、開閉板を閉じ位置に保持する保持手段とを有する中留であって、開閉板の閉じ位置から開き方向へ回転する動作を、基部を手首の上部に乗せたとき、開閉板の開いた端部が手首に触れない位置で停止させる停止手段を設け、基部を上側にしたとき、開閉板の停止位置において、両開閉板の先端に取付けられた帯状装身具と中留とが成す輪の内周が、手首の外周より僅かに大きいことを特徴とする帯状装身具の中留である。
【０００９】
請求の範囲第２３項に係る発明は、基部と、該基部の両端に回転可能に取付けられ、閉じた状態から左右に開かれるように構成された開閉板と、前記基部に設けられ、前記開閉板の閉じ位置から開き方向へ回転する動作において、前記開閉板の一部に当接することにより前記回転動作を前記開閉板が前記基部と接する装着体に触れる前に所定位置で停止させる停止手段を設けたことを特徴とする中留を有するバンドを取付けてなる腕時計である。
【００１０】
このような構成により、開閉板の閉じ位置から開き方向へ回転する動作を、適度な位置で停止させることができる。従って、開閉板がつまみやすくなり、また、開閉板を回動させる角度が小さくなる。これは、開閉板を閉じる操作を容易にする。
また、開閉板を停止させるに適切な角度の範囲が示される。これは、開閉板を閉じる操作が容易であることと、帯状装身具の着脱が容易であることとを両立させる。
【発明の実施の形態】
【００１１】
図１は本発明を腕時計のバンドに適用した第一実施例を示す斜視図、図２は本発明の要部を示す分解斜視図、図３は同じく要部を示す断面図である。
図において、図１９と同じ部分にはそれと同じ符号を付して説明を省略する。 本実施例においては、図２、３に示すように各開閉板３の基部は、枢着ピン２の部分より開閉板の長手方向に突出して停止用突起１５が形成されている。さらに、停止部材である停止ピン１６が、枠部材４に圧入により固定されている。停止ピン１６は、ピン２の内側斜め下方に配置され、停止ピン１６に停止用突起１５が当たるように構成されている。
【００１２】
図３及び図４は開閉板３が閉じた状態を示す。開閉板３の上面３ａは基部１の枠部材４の上面とほぼ一致し、少なくとも枠部材より突出しない。
また、図３に鎖線で示すように、開閉板３を回転させた時、突起１５の先端が枠部材４の端部より突出しないように、枠部材４と突起１５が配置されている。したがって、操作中に突起１５が装着者の手首を傷めることがない。
【００１３】
更に、図示のように閉じた状態において、開閉板３の下面は停止ピン１６に当接しない。したがって、開閉板の溝６とピン５との係合を阻害することなく、開閉板３の錠止を確実にする。また、停止ピン１６は開閉板の下方に位置して、開閉板によって隠される。このように、停止ピン１６は外部に露出しないので中留の美観を損ねることがない。
【００１４】
次に操作において、腕時計を装着するために、あるいは腕時計を外すために、開閉板３を開くと、開閉板３の回動途中で停止用突起１５が停止ピン１６に当たり、開閉板３が止められる。
図５及び６は、その停止状態を示す断面図である。その停止位置では、開閉板３は腕の表面から離れた位置に保持される。したがって、開閉板３がつまみやすく、また、開閉板３を回動させる角度が小さくてすむ。これは、開閉板を閉じる操作を容易にしている。
図６における開閉板３の基部１に対する枢着点を通る基準線Ｌに対する角度θは以下に述べる所定の範囲内に定めるのが望ましい。
【００１５】
図７はその角度範囲を示すものである。
開閉板３を閉じる時、開閉板３を拇指と人差指で挟むか、人差指を図７のＳの処へ入れる。今、線Ｌの上の仰角をＡ、下の俯角をＢとすると、図に示すように、仰角Ａが大きくなるに従って、帯状装身具である腕時計と中留とが成す輪が偏平して窄まる。逆に俯角Ｂが大きくなるに従って、帯状装身具と中留とが成す輪が真円に近づいて拡がる。
【００１６】
仰角Ａが大きくなるに従って、閉じる操作は容易となる。なぜならば、開閉板３は手首１４より遠くなるため、開閉板３がつまみやすくなり、かつ、閉じるに必要な開閉板３の回動角度も小さくなるからである。しかし、バンド１０と手首１４との隙間が小さくなるので腕に対する挿入、脱出が困難となる。
【００１７】
逆に、俯角Ｂが大きくなると閉じる操作が困難となる。なぜならば、開閉板３は手首１４に近くなるため、つまみにくくなり、かつ、閉じるに必要な回動角度も大きくなるからである。しかし、バンド１０と手首１４との隙間が大きくなるので、腕に対する挿入離脱は容易となる。
すなわち、仰角と俯角は、開閉板を閉じる操作の容易さ、及び帯状装身具の手首に対する装着や抜脱の容易さを考慮して決定される。かかる適切な仰角と俯角の間で、開閉板の回動を停止させる必要がある。適切な仰角と俯角の最大値は、下記の諸要素の相関で決定される。
【００１８】
・手首の太さや手のひらの大きさ
・中留の大きさ、特にバンド１０の長手方向に沿った基部４の長さ
・開閉板３の長さ
・装身具の長さ（腕時計の場合、時計本体１３の長さとバンド１０の長さの和と考えれば良い。）
・装身具と中留とが成す輪の内周の長さ
・装身具の厚み（腕時計の場合、時計本体１３やバンド１０の厚みと考えれば良い。）
さらには、装身具の柔軟性（腕時計の場合、バンド１０の柔軟性と考えれば良い。）なども考慮される。
【００１９】
従って、腕時計の場合、仰角Ａの上限は、装身具と中留とが成す輪の内周が、手のひら及び手首の外周より僅かに大きいこと、装身具の成す輪の下垂した下側に位置する時計本体１３が、手首に触れないこと、バンドを余裕をもって挿入、及び離脱できること、で決められる。
【００２０】
また、俯角Ｂの下限は、開閉板と手首の間に、装着者の指が入り得ること、開閉板が手首に当たらないこと、によって決められる。
その条件によって決められた、仰角の上限は６５度、俯角の下限は８５度である。
そして、好ましくは、仰角＝５０度、俯角＝７０度、より好ましくは、仰角＝３５度、俯角＝５５度、更により好ましくは、仰角＝２０度、俯角＝４０度、最も好ましくは、仰角＝１０度、俯角＝３０度である。
これらの角度は、停止用突起１５と停止ピン１６とが当接する位置を変更することで適宜決定できる。
【００２１】
図８は第一実施例の変形例を示す斜視図、図９はその断面図である。
この変形例では停止ピンに代えて、停止板１７が枠部材４に一体に形成される。枠部材４の間に架橋される停止板１７によって、中留の基部１が補強される。他の作用効果は前例と同じである。
【００２２】
図１０、１１は夫々前二例の変形例を示す斜視図である。
図１０の例では一対の短い停止ピン１６ａを枠部材４に圧入した構造であり、図１１の例では一対の短い停止板１７ａを枠部材４に一体に形成したものである。
尚、両図において鎖線で示すように、一方のピンは設けなくてもよい。そして、両例とも、中留の重量を軽減することができる。
【００２３】
図１２は本発明の第二実施例を示す斜視図、図１３は同断面図である。
本形態では、開閉板３の基部に長く突出する延長部２０が形成され、その端部の両側に、バンド長手方向に対する横方向に突出する停止突起２１が形成されている。
【００２４】
図１３に示すように、開閉板３を回転させると、停止突起２１の下内側の角が枠部材４の下面に当たり、開閉板が所定の開度に保持されるようになっている。
この形態は、基部１の長さに比べて手首の幅が小さい使用者、または基部１の長さが手首の幅より充分長い中留に適する。すなわち、突起２１が手に当たらない形態に適している。
また、停止部材を別に設ける必要がないので加工が簡単である。
【００２５】
図１４は、第三実施例を示す断面図である。
この形態では停止ピン２２が枢着ピン２の外側に設けられ、図示のように開閉板３を開くと、開閉板３の上面がピン２２に当たって止まる。
この例では、開閉板３の上面に傷がつくことがあるが、その上面は、図４で明らかなように時計の装着時にはバンドで隠れるので問題はない。
【００２６】
図１５は、第一実施例の変形例で、開閉板３の裏側に溝２３が形成され、停止ピン２４がその溝に半分程入るように構成される。
この例では開閉板３を厚くして強度を増すことができる。
【００２７】
図１６は第四実施例を示す斜視図、図１７は切断平面図、図１８は切断側面図である。この実施例では、保持手段として、プッシュボタンの押圧により、開閉板の保持が外れるプッシュ式錠止装置を採用している。
【００２８】
基部２５の枠部材２６の両端にピン２７ａにより開閉板２７、２８が枢着されている。本実施例は、第一実施例の停止構造と同じ突起３０及び停止ピン３１を備え、また、図１５と同様な逃げ溝２９が形成されている。
【００２９】
一方の開閉板２８の先端にはバネ棒３２が取付けられ、そのピン３３が枠部材２６の突起に形成された孔３４に係合するようになっている。ピン３３の先端は球形をなし、強く押し引きすることによりピンが後退して開閉板を枠部材に固定及び解放することができる。
他方の開閉板２７の先端にはプッシュボタン式の錠止装置３５が取付けられている。その錠止装置３５は中留の上板としての表カバー３６と、その内側に固定された案内部材３７と、その中に横方向に摺動可能に挿入された一対のプッシュボタン３８を有する。
表カバー３６は上板４０と両側板４１とよりなり、バンドの駒１１にピン４２で回動可能に連結され、又開閉板２７にピン４３で回動可能に連結される。
【００３０】
案内部材３７は側板４１の開口部４１ａに臨んで納められる。
プッシュボタン３８は点対称形状であり、表カバー３６の開口４１ａから突出する操作部３８ａと、プッシュボタンを外方向に付勢するための戻りばね４４が挿入される切欠３８ｂ、３８ｃとを有する。
【００３１】
側板４１には湾曲凹部４１ｂが形成されて操作部３８ａを掩い、操作部３８ａの外端は上板４０より外方には突出しない。
各プッシュボタン３８にはネジ４５が固定され、その頭４５ａが案内部材３７に形成された長孔４６に摺動可能に係合し、ばね４４により図１７、１８の位置で停止する。プッシュボタンは３８はその内方に下向傾斜部４７ａ（図１８）を有する係合フック４７を有する。係合フック４７は互いに相対して配置され、案内部材３７の上下板に形成された孔３７ａ、３７ｂに対向して設けられる。
枠部材２６には支持板４８が固定され、之にロックピン５０が固定される。ロックピン５０は、孔３７ａ、３７ｂに挿入され、フック４７に係合する。
【００３２】
錠止装置３５の使用を説明すると、開閉板２７が閉じられ、表カバー３６を強く押すと、ロックピン５０が上板案内部材３７の孔３７ａ、３７ｂに挿入される。ロックピン５０の円錐形ヘッド５０ａはプッシュボタン３８の夫々の係合フック４７の下向傾斜部４７ａと係合し、ばね４４の弾性力に抗して係合フック４７を外方向に押す。円錐形ヘッド５０ａが係合フック４７を通過すると、係合フック４７はばね４４によって戻され、ロックピン５０の心棒と係合する。従って、上板４０と開閉板２７がロックされる。
中留を外すには、プッシュボタン３８の操作部３８ａが同時に押圧され、係合フック４７が開き、ロックピン５０を解除する。
そして、開閉板２７を開くと、開閉板２７の突起３０が停止ピン３１に当接し、開閉板２７の回動が停止する。
【００３３】
このように、本発明は、保持手段の形態はどのようなものであっても良い。
例えば、両開きの中留の保持手段の例としては、特開昭６１−２４７４０３、実開平６−６１１１２、特表平８−５０４６５１、特開平９−３１４、特許第２６８１８７０、実用新案登録２５５１０６７、等がある。
【００３４】
また、プッシュボタン式中留の例としては、実開昭５１−１３７３７２、実開平１−１１２７１３、実開平７−３０７２６、特開平８−３１６、特開平８−３２２６１４、実用新案登録２５１１５１６等がある。
【００３５】
図１９は、本発明の第五実施例を示す斜視図である。
本中留は、通称二つ折れ中留と言われるもので、基部６１と一枚の開閉板６２とよりなる。基部６１としての枠基板６３は板金をプレス加工したもので、一端には、一方のバンド６４にピンにより連結される一対の突起６５が形成され、他端に一対の円筒部６６が形成され、円筒部６６の間には凹部６７が形成されている。
【００３６】
突起６５に隣接して図１７、１８に示した錠止装置３５と同一構造で表カバーを除いた本体だけの錠止装置６８が基板６３に固定されている。また、図２０に示すように基板６３の中央部に下方への凸部７０が形成されている。
一方、開閉板６２も板金で構成され、基部の中央部に図２０に示すように、基板６３との連結ピン７１に固定された円筒部７２と停止ピン７３とが曲げ加工により形成されている。停止ピン７３は凹部６７の内壁に当るようになっている。
開閉板６２の先端には他方のバンド７４にピンにより連結される一対の突起７５が形成され、また錠止装置６８の一対のプッシュボタン７６に錠止されるロックピン７７が固定されている。
【００３７】
図１９、２０に示すように開閉板６２を開いた時は、停止ピン７３が凹部６７の内壁に当って開閉板が保持される。また、本中留の装着時には、図２０に示すように枠部材の凸部７０が腕に当って開閉板６２を高い位置に保持する。従って停止ピン７３は矢印に示すように腕に当ることなく回動できる。
【００３８】
本実施例によれば、板曲げ加工により簡単に、また低コストで加工することができる。
更に、中留は軽量である。また立上り突起６５、７５でバンドに連結されるので、皮革や樹脂によるバンドを連結することができる。
【００３９】
図２１は、本発明の第六実施例を示す斜視図である。
この中留は、三つ折れ中留と称されるもので、上板としての錠止装置８０と、開閉板８１と、基部の枠部材８２とよりなる。錠止装置８０は、図１６の錠止装置３５と同じ構造で、枠部材８２に固定されたロックピン８３を錠するようになっている。
停止用突起８４が当接する停止ピン８５には図２２に示すように下方への断面半円形の突条８６が形成されている。
従って、腕時計装着時に、その突条８６が腕に当って、停止用突起８４が高い位置に保持され、その突起８４が腕に当らないようになっている。
本実施例によれば、停止突起が手首に接触しないので、開閉板の回動が円滑である。また中留の装着感が良い。
【００４０】
図２３は第七実施例の斜視図、図２４は切断側面図、図２５はボールロック装置の断面図である。
この中留は基部のＵ形の枠部材８８と一枚の開閉板９０とよりなる。開閉板９０は、前記各実施例と同様、枠部材８８の中に収まる構造で、基部の停止用突起９１が、開閉板９０の溝９３内に取付けられた停止ピン９２に当るようになっている。
枠部材８８のピン９２の下方には、下方への半円形突起９４が形成され突起９１が腕に当らないようになっている。
【００４１】
開閉板９０の先端部両側にはボールロック装置９５が埋込まれている。このボールロック装置は、図２５に示すように一端が開放された保持筒９６内に収められたボール９７と、之を鍔部９８に圧接させるスプリング１００とよりなる。このボール９７は、開閉板の外壁より突出し、枠部材８８の内壁に形成された一対の孔１０１に係合するようになっている。
【００４２】
従って、開閉板９０を強く枠部材８８に押し付けると、ボール９７がスプリング１００に抗して筒９６内に没入し、孔１０１に一致すると、突出して孔に嵌合して、開閉板が錠止される。逆に錠止された開閉板９０は、之に連結されたバンド１０２を強く引き上げることによりボール９７が一旦後退して解錠される。
尚、ボールロック装置は、片側だけに設けてもよい。
本実施例によれば、停止突起９１が手首に接触しないので、開閉板の回動が円滑である。突起９４により枠部材８８の上下高さを小さくでき、中留の厚みを薄くできる。
【００４３】
図２６は第八実施例を示す斜視図、図２７はその切断側面図である。
この中留は両開き型で、基部の枠部材１０５とその両側に取付けられた開閉板１０６とよりなる。枠部材１０５の中央部に本体だけの錠止装置１０７が固定されている。
之に対して、両開閉板１０６の先端部には、ロックピン１０８が夫々設けられている。従って、錠止装置１０７の各プッシュボタン１１０の係合フック（図示せず）は、両側のロックピン１０８に係合するようになっている。
枠部材１０５には開閉板１０６の停止突起１１１が当る停止板１１２と一体に形成されている。
【００４４】
本実施例では、各停止板１１２より内方に突出する開放板バネ１１３が設けられている。図２７に示すように、板バネ１１３は斜め上方へ上がる傾斜部１１４と、上端の平坦部１１５とよりなり、鎖線で示す開閉板１０６が閉じた時には開閉板の下面が板バネ１１３を鎖線のように下方に撓ませ、開閉板を上方に付勢している。
従って、錠止装置１０７のプッシュボタン１１０を押して開閉板１０６が解錠されると、開閉板は板バネ１１３によって自動的に跳ね上げられ、回動して停止板１１２に当って停止する。
本実施例によれば、プッシュボタンを押すと、バネによって開閉板が自動的に跳ね上がり、所定の位置で停止するので、開放操作が簡単となる。
【００４５】
本発明によれば、開閉板が手首より離れた位置に保持されているので、中留を容易に操作することがきる。
【図面の簡単な説明】
【００４６】
【図１】  本発明を腕時計のバンドに適用した第一実施例を示す斜視図
【図２】  本発明の要部を示す分解斜視図
【図３】  本発明の要部を示す断面図
【図４】  中留を閉じた状態を示す切断側面図
【図５】  開閉板の停止状態を示す断面図
【図６】  開閉板の停止状態を示す断面図
【図７】  開閉板の停止角度範囲を説明するための図
【図８】  本発明の第一実施例の変形例を示す斜視図
【図９】  本発明の第一実施例の変形例を示す断面図
【図１０】  本発明の第一実施例の変形例を示す斜視図
【図１１】  本発明の第一実施例の変形例を示す斜視図
【図１２】  本発明の第二実施例を示す斜視図
【図１３】  本発明の第二実施例を示す断面図
【図１４】  本発明の第三実施例を示す断面図
【図１５】  本発明の第一実施例の変形例を示す断面図
【図１６】  本発明の第四実施例を示す斜視図
【図１７】  本発明の第四実施例を示す切断平面図
【図１８】  本発明の第四実施例を示す切断側面図
【図１９】  本発明の第五実施例を示す斜視図
【図２０】  その一部を示す側面図
【図２１】  本発明の第六実施例を示す斜視図
【図２２】  その一部を示す切断側面図
【図２３】  第七実施例の斜視図
【図２４】  切断側面図
【図２５】  ボールロック装置の断面図
【図２６】  第八実施例を示す斜視図
【図２７】  その切断側面図
【図２８】  従来の両開き中留を示す斜視図
【図２９】  従来の両開き中留を有する腕時計を手首に装着した時の状態を示す図である。
【図１】
0004445129.tif 000002
【図２】
0004445129.tif 000003
【図３】
0004445129.tif 000004
【図４】
0004445129.tif 000005
【図５】
0004445129.tif 000006
【図６】
0004445129.tif 000007
【図７】
0004445129.tif 000008
【図８】
0004445129.tif 000009
【図９】
0004445129.tif 000010
【図１０】
0004445129.tif 000011
【図１１】
0004445129.tif 000012
【図１２】
0004445129.tif 000013
【図１３】
0004445129.tif 000014
【図１４】
0004445129.tif 000015
【図１５】
0004445129.tif 000016
【図１６】
0004445129.tif 000017
【図１７】
0004445129.tif 000018
【図１８】
0004445129.tif 000019
【図１９】
0004445129.tif 000020
【図２０】
0004445129.tif 000021
【図２２】
0004445129.tif 000022
【図２１】
0004445129.tif 000023
【図２３】
0004445129.tif 000024
【図２４】
0004445129.tif 000025
【図２５】
0004445129.tif 000026
【図２６】
0004445129.tif 000027
【図２７】
0004445129.tif 000028
【図２８】
0004445129.tif 000029
【図２９】
0004445129.tif 000030